(57)【要約】      （修正有）【課題】使用者は箸を便利に取り出すことができ、また環境にもやさしく、衛生的な箸を提供することができる自動箸供給装置を提供する。【解決手段】自動箸供給装置は、外箱体１、挟持装置２、回転装置３を備え、外箱体１内の保管室１１には予め清潔な箸１３を保管し、保管室１１内底部は斜底板１１１で、下方へと延伸し斜下通道を形成し、斜下通道下端には長出口を設置し、箸１３は保管室１１からスライドし長出口を通過し、挟持装置２の挟持口内に入り、挟持装置２は箸１３の第一端１３１を挟持し、回転装置３を通して挟持装置２を駆動し９０°回転させ、挟持された箸１３は、その第二端１３２が外箱体１の長開槽１１５を貫通し、外箱体１外に顔を出し、使用者は便利に箸１３を取り出すことができる。【選択図】図３
0003149268.tif 000002
【実用新案登録請求の範囲】
【請求項１】
外箱体、挟持装置、回転装置を備え、
前記外箱体内には、保管室、機械室を備え、前記保管室内には、少なくとも１本の箸を保管し、前記保管室の底部は斜底板で、前記斜底板は下方へと延伸し斜下通道を形成し、前記斜下通道下端には、長出口を設置し、前記長出口は箸がスライドし通過することができる特定高度を備え、前記外箱体はさらに、長開槽を開設し、前記長開槽は、前記長出口に平行で近接し、
前記挟持装置は、前記外箱体の機械室内に設置し、前記挟持装置は、挟持口を備え、前記挟持口は、前記斜下通道の長出口位置に対応し接続し、箸の第一端を挟持し、或いは放し、
前記回転装置は、前記外箱体の機械室内に設置し、前記回転装置を通して前記挟持装置を駆動し回転させ、挟持された箸は、その第二端が前記長開槽を貫通し、前記外箱体外に顔を出すことを特徴とする自動箸供給装置。
【請求項２】
前記自動箸供給装置は、さらにセンサーを備え、前記センサーが、前記挟持装置の挟持口内に、少なくとも１本の箸があることを感知すると、制御信号を発することを特徴とする請求項１に記載の自動箸供給装置。
【請求項３】
前記外箱体の保管室内にはさらに、殺菌装置を備え、前記殺菌装置は少なくとも１本の箸に対して殺菌処理を行うことを特徴とする請求項１に記載の自動箸供給装置。
【請求項４】
前記外箱体の保管室内にはさらに、通風装置を備え、前記通風装置は、少なくとも１本の箸に対して空気循環を提供することを特徴とする請求項１に記載の自動箸供給装置。
【請求項５】
前記外箱体の保管室はさらに、電熱器を設置し、前記電熱器は、前記斜下通道の側面に設置し、少なくとも１本の箸に対して熱処理を提供することを特徴とする請求項１に記載の自動箸供給装置。
【請求項６】
前記外箱体は上蓋を備え、前記上蓋は、前記保管室に対応し上方に蓋をし、密閉収容室を形成することを特徴とする請求項１に記載の自動箸供給装置。
【請求項７】
前記外箱体はさらに、防護カバーを備え、前記防護カバーは、前記長開槽上に設置することを特徴とする請求項１に記載の自動箸供給装置。
【請求項８】
前記挟持装置の挟持口は、２本の箸だけを収容可能な深さを備えることを特徴とする請求項１に記載の自動箸供給装置。
【請求項９】
前記回転装置は、ステップモーターを備えることを特徴とする請求項１に記載の自動箸供給装置。
【請求項１０】
前記回転装置は、回転軸を備え、前記回転軸上には、前記挟持装置を固定して設置することを特徴とする請求項１に記載の自動箸供給装置。
【考案の詳細な説明】
【技術分野】
【０００１】
本考案は箸供給装置に関し、特に団体での食事に適した自動箸供給装置に関する。
【背景技術】
【０００２】
近年、世界経済の成長に伴い、大量の自然資源が消費され、資源の枯渇が懸念されている。そのため、先進国では環境保護が提唱され、日常生活でも省資源が心がけられるようになっている。
台湾を含む華人生活圏、日本、韓国、或いは他のアジア各国において、箸は日常生活における必需品である。肝炎の罹患率が高かった台湾では、十数年前、肝炎の感染を低下させようと、割り箸使用運動が繰り広げられた。しかし近年、竹製の割り箸が不衛生であることは、既に専門家により証明されており、環境を破壊し、世界的な潮流に逆行したものでもあるとして、政府は割り箸の使用減量を呼びかけ始めた。
【０００３】
図１は、従来の箸立ての概略図である。
図１に示すように、飲食店で日常的に使用されている箸立て９に入れられた割り箸９１は、該割り箸９１外をプラスチック袋９２でさらに包装し、外界からの汚染を回避する。さらに、該割り箸９１の多くは竹製であるため、割り箸９１を製造する前には、美観のために、防腐と漂白を行う必要がある。
しかし、該過程に使用する化学薬剤はことごとく人体に有害で、しかも割り箸９１は使用後に廃棄されるため、大量に竹を消費し、環境保護の考え方には合致しない。
【０００４】
図２は、従来の箸かごの概略図である。
サイエンスパーク、学校、病院等の大規模な飲食施設においては、箱状の箸かご９３に箸９４を入れている。
政府の割り箸減量運動に呼応して、大型の飲食施設では既に、竹製の割り箸は鉄製或いはプラスチック製の箸９４に換えられている。
しかし、使用者が箸かご９３内から箸を取り出す時、必要な箸９４を取り出す他に、他の箸にも接触せざるを得ず、他の箸を汚染する。
さらに、箸かご９３内に入れられた箸９４は、外界の環境にさらされているため、汚染の可能性が拡大する。
本考案は、従来の箸立て及び箸かごの上記した欠点に鑑みてなされたものである。
【考案の概要】
【考案が解決しようとする課題】
【０００５】
本考案が解決しようとする課題は、環境保護と衛生確保を兼ね備え、日常生活における食の品質を高めることができる自動箸供給装置を提供することである。
【課題を解決するための手段】
【０００６】
請求項１の考案は、外箱体、挟持装置、回転装置を備え、
前記外箱体内には、保管室、機械室を備え、前記保管室内には、少なくとも１本の箸を保管し、前記保管室の底部は斜底板で、前記斜底板は下方へと延伸し斜下通道を形成し、前記斜下通道下端には、長出口を設置し、前記長出口は箸がスライドし通過することができる特定高度を備え、前記外箱体はさらに、長開槽を開設し、前記長開槽は、前記長出口に平行で近接し、
前記挟持装置は、前記外箱体の機械室内に設置し、前記挟持装置は、挟持口を備え、前記挟持口は、前記斜下通道の長出口位置に対応し接続し、箸の第一端を挟持し、或いは放し、
前記回転装置は、前記外箱体の機械室内に設置し、前記回転装置を通して前記挟持装置を駆動し回転させ、挟持された箸は、その第二端が前記長開槽を貫通し、前記外箱体外に顔を出すことを特徴とする自動箸供給装置としている。
請求項２の考案は、前記自動箸供給装置は、さらにセンサーを備え、前記センサーが、前記挟持装置の挟持口内に、少なくとも１本の箸があることを感知すると、制御信号を発することを特徴とする請求項１に記載の自動箸供給装置としている。
請求項３の考案は、前記外箱体の保管室内にはさらに、殺菌装置を備え、前記殺菌装置は少なくとも１本の箸に対して殺菌処理を行うことを特徴とする請求項１に記載の自動箸供給装置としている。
請求項４の考案は、前記外箱体の保管室内にはさらに、通風装置を備え、前記通風装置は、少なくとも１本の箸に対して空気循環を提供することを特徴とする請求項１に記載の自動箸供給装置としている。
請求項５の考案は、前記外箱体の保管室はさらに、電熱器を設置し、前記電熱器は、前記斜下通道の側面に設置し、少なくとも１本の箸に対して熱処理を提供することを特徴とする請求項１に記載の自動箸供給装置としている。
請求項６の考案は、前記外箱体は上蓋を備え、前記上蓋は、前記保管室に対応し上方に蓋をし、密閉収容室を形成することを特徴とする請求項１に記載の自動箸供給装置としている。
請求項７の考案は、前記外箱体はさらに、防護カバーを備え、前記防護カバーは、前記長開槽上に設置することを特徴とする請求項１に記載の自動箸供給装置としている。
請求項８の考案は、前記挟持装置の挟持口は、２本の箸だけを収容可能な深さを備えることを特徴とする請求項１に記載の自動箸供給装置としている。
請求項９の考案は、前記回転装置は、ステップモーターを備えることを特徴とする請求項１に記載の自動箸供給装置としている。
請求項１０の考案は、前記回転装置は、回転軸を備え、前記回転軸上には、前記挟持装置を固定して設置することを特徴とする請求項１に記載の自動箸供給装置としている。
【０００７】
本考案により、使用者は箸を便利に取り出すことができ、また環境にもやさしく、衛生的な箸を提供することができる。
自動箸供給装置は、さらにセンサーを備え、該センサーが、該挟持装置の挟持口内に、少なくとも１本の箸があることを感知すると、制御信号を発する。
【０００８】
該センサーは、光遮断センサーで、また圧力センサー、或いは他の等価センサーを採用することもでき、さらには簡単なボタンにより、該制御信号を提供し、コストを低下させることもできる。
該外箱体の保管室内にはさらに、殺菌装置を備え、該殺菌装置は少なくとも１本の箸に対して殺菌処理を行う。
該殺菌装置は、紫外線殺菌灯、オゾン発生器、或いは他の等価殺菌装置を採用することができる。
該外箱体の保管室内にはさらに、通風装置を備え、該通風装置は、少なくとも１本の箸に対して空気循環を提供し、該通風装置は少なくとも１個の通風ファンを備える。
該外箱体の保管室はさらに、電熱器を設置し、該電熱器は、該斜下通道の側面に設置し、少なくとも１本の箸に対して熱処理を提供する。
該外箱体は上蓋を備え、該上蓋は、該保管室に対応し上方に蓋をし、密閉収容室を形成する。
該外箱体はさらに、防護カバーを備え、該防護カバーは、ほこり、毛髪、唾液、汚れが長開槽から落下し、箸を汚染しないよう、長開槽上に設置する。該防護カバーは、ブラシ、プラスチックシート、或いは他の等価装置である。
【０００９】
該挟持装置の挟持口は、２本の箸だけを収容可能な深さを備えるが、他の箸の数量に適した深さに変えることもできる。
該回転装置は、ステップモーター、或いは回転気圧シリンダー、或いは他の等価回転装置を備え、該回転装置は、回転軸を備え、該回転軸上には、挟持装置を固定して設置する。
【考案の効果】
【００１０】
本考案により、使用者は箸を便利に取り出すことができ、また環境にもやさしく、衛生的な箸を提供することができる。
【図面の簡単な説明】
【００１１】
【図１】従来の箸立ての概略図である。
【図２】従来の箸かごの概略図である。
【図３】本考案一実施形態による自動箸供給装置の立体図である。
【図４】本考案一実施形態による自動箸供給装置の断面図である。
【図５】本考案一実施形態による自動箸供給装置において、挟持装置、回転装置の概略図である。
【考案を実施するための形態】
【００１２】
図３は、本考案一実施形態による自動箸供給装置の立体図で、図４は、本考案一実施形態による自動箸供給装置の断面図である。
図に示すように、本考案一実施形態による自動箸供給装置は、外箱体１、挟持装置２、回転装置３を備える。
【００１３】
外箱体１内には、上蓋１０、保管室１１、機械室１２を備える。
上蓋１０は、保管室１１に対応し上方に蓋をし、密閉収容室を形成する。これにより保管室１１内部を清潔に保ち、内部に保管する箸１３が汚染されないようにする。
また、上蓋１０をめくり開けることで、新しい箸１３を保管室１１内に便利に補充することができる。
【００１４】
保管室１１内には、複数の箸１３を保管する。保管室１１内にはさらに、殺菌装置４を備える。
殺菌装置４は複数の箸１３に対して殺菌処理を行う。
殺菌装置４は、紫外線殺菌灯、オゾン発生器、或いは他の等価殺菌装置を採用することができる。
【００１５】
図に示すように、外箱体１の保管室１１内にはさらに、通風装置５を備える。
通風装置５は、少なくとも１個の通風ファンを備え、少なくとも１本の箸１３に対して空気循環を提供する。
【００１６】
保管室１１の底部は斜底板１１１で、斜底板１１１は下方へと延伸し斜下通道１１３を形成する。
斜下通道１１３下端には、長出口１１４を設置し、長出口１１４は箸１３がスライドし通過することができる特定高度Ｈを備え、これにより箸１３は、斜底板１１１に沿って重力によりスライドし、それぞれ１本ずつ斜下通道１１３を通過し、長出口１１４に到達する。
【００１７】
外箱体１はさらに、長開槽１１５を開設し、長開槽１１５は、長出口１１４に平行で近接する。
外箱体１はさらに、防護カバー１１７を備える。防護カバー１１７は、ほこり、毛髪、唾液、汚れが長開槽１１５から落下し、箸１３を汚染しないよう、長開槽１１５上に設置する。
防護カバー１１７は、ブラシ、プラスチックシート、或いは他の等価装置である。
【００１８】
外箱体１の保管室１１はさらに、電熱器１１６を設置する。
電熱器１１６は、斜下通道１１３の側面に設置し、少なくとも１本の箸１３の第一端１３１に対して熱処理を提供することができる。
例えば、ステンレス製の箸では、予め約４２℃まで温度を上げておくことができれば、使用者が箸を手に取った後、しばらくして温度は約３８℃まで下がるが、それは人が最も快適に感じることができる温度である。
このようにして、食事時のクオリティを高めることができる。
【００１９】
挟持装置２は、外箱体１の機械室１２内に設置する。
挟持装置２は、挟持口２１を備え、挟持装置２の挟持口２１は、2本の箸１３だけを収容可能な深さを備える。これにより、挟持装置２は挟持時に、一回に２本の箸１３だけを挟持可能となる。
挟持口２１は、斜下通道１１３の長出口１１４位置に対応し接続し、箸１３の第一端１３１を挟持し、或いは放す。
【００２０】
図５は、本考案一実施形態による自動箸供給装置において、挟持装置、回転装置の概略図である。
図４と図５に示すように、回転装置３は、外箱体１の機械室１２内に設置する。
回転装置３は、ステップモーター３０、或いは回転気圧シリンダー、或いは他の等価の回転装置を備える。
本実施形態では、回転装置３を通して、挟持装置２を駆動し、９０°回転させ、回転装置３は、回転軸３１を備える。回転軸３１上には、挟持装置２を固定して設置する。
【００２１】
図５に示すように、本考案一実施形態による自動箸供給装置は、さらにセンサー２２を備える。
センサー２２が、挟持装置２の挟持口２１内に、１膳の箸１３があることを感知すると、制御信号を発する。
制御信号は、挟持装置２を制御し、箸１３の第一端１３１を挟持し、挟持された箸１３は、その第二端１３２により長開槽１１５を貫通し、外箱体１外に顔を出す。
【００２２】
箸１３が、使用者により長開槽１１５から抜き出されると、センサー２２は挟持装置２の挟持口２１に箸１３が存在することを感知できないため、別の制御信号を発する。
別の制御信号により、回転装置３は挟持装置２の挟持口２１を駆動し回転させ、長開槽１１５の位置に復帰させ、こうして、挟持装置２は次の箸１３を挟持することができる。
センサー２２の最適実施形態は、光遮断センサーで、また圧力センサー、或いは他の等価センサーを採用することもでき、さらには簡単なボタンにより、上記した制御信号を提供し、コストを低下させることもできる。
【００２３】
本考案により、使用者は箸を便利に取り出すことができ、また環境にもやさしく、衛生的な箸を提供することができる。
本考案は具体的実施形態を上記の通り開示したが、これらは最適実施形態に過ぎず、本考案を限定するものではない。当該技術を熟知する者なら誰でも、本考案の製品と領域を脱しない範囲内で各種の変動や潤色を加えることができ、したがって本考案の保護範囲は、実用新案請求の範囲で指定した内容を基準とする。
【符号の説明】
【００２４】
１  外箱体
１０  上蓋
１１  保管室
１１１  斜底板
１１３  斜下通道
１１４  長出口
１１５  長開槽
１１６  電熱器
１１７  防護カバー
１２  機械室
１３  箸
１３１  第一端
１３２  第二端
２  挟持装置
２１  挟持口
２２  センサー
３  回転装置
３０  ステップモーター
３１  回転軸
４  殺菌装置
５  通風装置
Ｈ  特定高度
９  箸立て
９１  割り箸
９２  プラスチック袋
９３  箸かご
９４  箸
【図１】
0003149268.tif 000003
【図２】
0003149268.tif 000004
【図３】
0003149268.tif 000005
【図４】
0003149268.tif 000006
【図５】
0003149268.tif 000007